(57)【要約】      （修正有）【課題】災害時の非常用品セットを収納すると共に、開封後は、食べ物を安全に運ぶことのできる盆としての機能を持たせたケースを提供する。【解決手段】底壁部２ａの外端から側壁部２ｂを立設した断面略Ｕ字状の底箱２と、底箱２の内部に収納され、食品容器を挿入できる大きさの穴部４、または輪郭Ｂが連結部を若干残した切目で形成された穴部４を有するところの平板部３ａの外端から脚板部３ｂを立設した断面略Ｕ字状の内箱３と、底箱２の上端開口部を塞ぐ蓋とを備える。そして、内箱３は、開封後、前記底箱２内で逆立姿勢とされ、穴部４には前記食品容器が挿入される。【選択図】図１
0003141637.tif 000002
【実用新案登録請求の範囲】
【請求項１】
災害時の非常用品セット（１０）を収納すると共に，盆としての機能を有するダンボール製のケースであって、底壁部（２ａ）の外端から側壁部（２ｂ）を立設した断面略Ｕ字状の底箱（２）と、前記底箱の内部に収納され，食品容器（Ｃ）を挿入できる大きさの穴部（４），または輪郭（Ｂ）が連結部を若干残した切目で形成された穴部（４）を有するところの平板部（３ａ）の外端から脚板部（３ｂ）を立設した断面略Ｕ字状の内箱（３）と、前記底箱の上端開口部を塞ぐ蓋（５）とを備え、前記内箱は，開封後，前記底箱内で逆立姿勢とされ，前記穴部には前記食品容器が挿入保持可能な災害時の災害時の非常用品セット用ケース。
【請求項２】
災害時の非常用品セット（１０）を収納すると共に，盆としての機能を有するダンボール製のケースであって、底壁部（２ａ）の外端から側壁部（２ｂ）を立設した断面略Ｕ字状の底箱（２）と、前記底箱の内部に収納され，食品容器（Ｃ）を挿入できる大きさの穴部（４），または輪郭（Ｂ）が連結部を若干残した切目で形成された穴部（４）を有するところの平板部（３ａ）の外端から脚板部（３ｂ）を立設した断面略Ｕ字状の内箱（３）と、前記底箱の上端開口部を塞ぐ蓋（５）とを備え、前記内箱は，開封後，前記底箱内で逆立姿勢とされ，前記穴部（４）には前記食品容器が挿入されるものであり、さらに，前記穴部または穴部の輪郭が略平歯車状とされ，前記穴部は，その周端部に，折り曲げられて前記食品容器の外周面に当接する複数の突片部（４ａ）を有するものである災害時の非常用品セット用ケース。
【請求項３】
災害時の非常用品セット（１０）を収納すると共に，盆としての機能を有するダンボール製のケースであって、底壁部（２ａ）の外端から側壁部（２ｂ）を立設した断面略Ｕ字状の底箱（２）と、前記底箱の内部に収納され，食品容器（Ｃ）を挿入できる大きさの穴部（４），または輪郭（Ｂ）が連結部を若干残した切目で形成された穴部（４）を有するところの平板部（３ａ）の外端から脚板部（３ｂ）を立設した断面略Ｕ字状の内箱（３）と、前記底箱の上端開口部を塞ぐ蓋（５）とを備え、前記内箱は，開封後，前記底箱内で逆立姿勢とされ，前記穴部（４）には前記食品容器が挿入されるものであり、前記穴部は，大きさの異なるものが二つ形成されたものである災害時の非常用品セット用ケース。
【請求項４】
災害時の非常用品セット（１０）を収納すると共に，盆としての機能を有するダンボール製のケースであって、底壁部（２ａ）の外端から側壁部（２ｂ）を立設した断面略Ｕ字状の底箱（２）と、前記底箱の内部に収納され，食品容器（Ｃ）を挿入できる大きさの穴部（４），または輪郭（Ｂ）が連結部を若干残した切目で形成された穴部（４）を有するところの平板部（３ａ）の外端から脚板部（３ｂ）を立設した断面略Ｕ字状の内箱（３）と、前記底箱の上端開口部を塞ぐ蓋（５）とを備え、前記内箱は，開封後，前記底箱内で逆立姿勢とされ，前記穴部（４）には前記食品容器が挿入されるものであり、前記穴部は，大きさの異なるものが二つ形成されたものであり、さらに，前記二つの穴部は，一方または両方が円形である災害時の非常用品セット用ケース。
【請求項５】
災害時の非常用品セット（１０）を収納すると共に，盆としての機能を有するダンボール製のケースであって、底壁部（２ａ）の外端から側壁部（２ｂ）を立設した断面略Ｕ字状の底箱（２）と、前記底箱の内部に収納され，食品容器（Ｃ）を挿入できる大きさの穴部（４），または輪郭（Ｂ）が連結部を若干残した切目で形成された穴部（４）を有するところの平板部（３ａ）の外端から脚板部（３ｂ）を立設した断面略Ｕ字状の内箱（３）と、前記底箱の上端開口部を塞ぐ蓋（５）とを備え、前記内箱は，開封後，前記底箱内で逆立姿勢とされ、前記穴部（４）には前記食品容器が挿入されるものであり、前記穴部は，大きさの異なるものが二つ形成されたものであり、前記二つの穴部は，一方または両方が正多角形である災害時の非常用品セット用ケース。
【請求項６】
災害時の非常用品セット（１０）を収納すると共に，盆としての機能を有するダンボール製のケースであって、底壁部（２ａ）の外端から側壁部（２ｂ）を立設した断面略Ｕ字状の底箱（２）と、前記底箱の内部に収納され，食品容器（Ｃ）を挿入できる大きさの穴部（４），または輪郭（Ｂ）が連結部を若干残した切目で形成された穴部（４）を有するところの平板部（３ａ）の外端から脚板部（３ｂ）を立設した断面略Ｕ字状の内箱（３）と、前記底箱の上端開口部を塞ぐ蓋（５）とを備え、前記内箱は，開封後，前記底箱内で逆立姿勢とされ，前記穴部（４）には前記食品容器が挿入されるものであり、前記穴部は，大きさの異なるものが二つ形成されたものであり、前記二つの穴部は，大きい方が円形で，小さい方が正多角形である災害時の非常用品セット用ケース。
【請求項７】
災害時の非常用品セット（１０）を収納すると共に，盆としての機能を有するダンボール製のケースであって、底壁部（２ａ）の外端から側壁部（２ｂ）を立設した断面略Ｕ字状の底箱（２）と、前記底箱の内部に収納され，食品容器（Ｃ）を挿入できる大きさの穴部（４），または輪郭（Ｂ）が連結部を若干残した切目で形成された穴部（４）を有するところの平板部（３ａ）の外端から脚板部（３ｂ）を立設した断面略Ｕ字状の内箱（３）と、前記底箱の上端開口部を塞ぐ蓋（５）とを備え、前記内箱は，開封後，前記底箱内で逆立姿勢とされ，前記穴部（４）には前記食品容器が挿入されるものであり、前記穴部は，大きさの異なるものが二つ形成されたものであり、前記二つの穴部は，大きい方が円形で、小さい方が正多角形であり、前記正多角形の小さい穴部に，多角筒状に巻いた補助筒（１１）を嵌入してなる災害時の非常用品セット用ケース。
【請求項８】
災害時の非常用品セット（１０）を収納すると共に，盆としての機能を有するダンボール製のケースであって、底壁部（２ａ）の外端から側壁部（２ｂ）を立設した断面略Ｕ字状の底箱（２）と、前記底箱の内部に収納され，食品容器（Ｃ）を挿入できる大きさの穴部（４），または輪郭（Ｂ）が連結部を若干残した切目で形成された穴部（４）を有するところの平板部（３ａ）の外端から脚板部（３ｂ）を立設した断面略Ｕ字状の内箱（３）と、前記底箱の上端開口部を塞ぐ蓋（５）とを備え、前記内箱は，開封後，前記底箱内で逆立姿勢とされ，前記穴部（４）には前記食品容器が挿入されるものであり、前記穴部は，大きさの異なるものが二つ形成されたものであり、前記二つの穴部は，大きい方が円形で，小さい方が正多角形であり、前記正多角形の小さい穴部は，その中心から放射状に形成した切れ目（Ｓ）をカットし，そこに形成される三角片（１２）を下方に折り曲げて形成されるものである災害時の非常用品セット用ケース。
【考案の詳細な説明】
【技術分野】
【０００１】
本考案は、災害時の非常用品セット（タオル、Ｔシャツ、スリッパなどのセット）を収納すると共に、開封後は、盆としても使用することのできるケースに関するものである。
【背景技術】
【０００２】
これまでに、地震などの災害に遭遇した際、避難所などで必要なタオル、Ｔシャツ、スリッパなどの生活必需品を、一つにまとめた災害時の非常用品セットが創案されている。
【０００３】
特に非常用品セットで、圧縮固化したものはコンパクトで持ち運びが容易であり、また、圧縮固化状態を解くのみで、タオル等の生活必需品を原形に戻して使用することができるので、きわめて実用性に富む。
【考案の開示】
【考案が解決しようとする課題】
【０００４】
しかし、通常、避難所などでの生活においては、例えば、うどん等の熱い食べ物や、ペットボトルに入ったお茶などが提供されることが多々あるが、それらを手に持って運ぶ作業が案外に厄介である。特に、うどんなどの熱い食べ物は、その容器も熱くなっているので手に持つこと自体が厄介であり、また、通常の平坦な盆に載せて運ぶ場合も、安定性が悪いので盆から滑り落ちてしまい易く、きわめて危険である。
【０００５】
本考案はこうした問題に鑑み創案されたもので、非常用品セットを収納すると共に、開封後は、食べ物を安全に運ぶことのできる盆としての機能を持たせたケースを提供することを課題とする。
【課題を解決するための手段】
【０００６】
請求項１に記載の災害時の非常用品セット用ケース１は、災害時の非常用品セット１０を収納すると共に、盆としての機能を有するダンボール製のケースであって、底壁部２ａの外端から側壁部２ｂを立設した断面略Ｕ字状の底箱２と、前記底箱２の内部に収納され、食品容器Ｃを挿入できる大きさの穴部４、または輪郭Ｂが連結部を若干残した切目で形成された穴部４を有するところの平板部３ａの外端から脚板部３ｂを立設した断面略Ｕ字状の内箱３と、前記底箱２の上端開口部を塞ぐ蓋５とを備える。そして、前記内箱３は、開封後、前記底箱２内で逆立姿勢とされ、前記穴部４には前記食品容器Ｃが挿入されるものである。
【０００７】
請求項２に記載の災害時の非常用品セット用ケース１は、非常用品セット１０を収納すると共に、盆としての機能を有するダンボール製のケースであって、底壁部２ａの外端から側壁部２ｂを立設した断面略Ｕ字状の底箱２と、前記底箱２の内部に収納され、食品容器Ｃを挿入できる大きさの穴部４、または輪郭Ｂが連結部を若干残した切目で形成された穴部４を有するところの平板部３ａの外端から脚板部３ｂを立設した断面略Ｕ字状の内箱３と、前記底箱２の上端開口部を塞ぐ蓋５とを備える。
【０００８】
そして、前記内箱３は、開封後、前記底箱２内で逆立姿勢とされ、前記穴部４には前記食品容器Ｃが挿入されるものである。また、前記穴部４または穴部の輪郭Ｂが略平歯車状とされ、前記穴部４は、その周端部に、折り曲げられて前記食品容器Ｃの外周面に当接する複数の突片部４ａを有するものである。
【０００９】
請求項３に記載の災害時の非常用品セット用ケース１は、非常用品セット１０を収納すると共に、盆としての機能を有するダンボール製のケースであって、底壁部２ａの外端から側壁部２ｂを立設した断面略Ｕ字状の底箱２と、前記底箱の内部に収納され、食品容器Ｃを挿入できる大きさの穴部４、または輪郭Ｂが連結部を若干残した切目で形成された穴部４を有するところの平板部３ａの外端から脚板部３ｂを立設した断面略Ｕ字状の内箱３と、前記底箱の上端開口部を塞ぐ蓋５とを備える。
【００１０】
前記内箱は、開封後、前記底箱内で逆立姿勢とされ、前記穴部４には前記食品容器が挿入されるものであり、前記穴部４は、大きさの異なるものが二つ形成されたものである。
【００１１】
請求項４に記載の災害時の非常用品セット用ケース１は、災害時の非常用品セット１０を収納すると共に、盆としての機能を有するダンボール製のケースであって、底壁部２ａの外端から側壁部２ｂを立設した断面略Ｕ字状の底箱２と、前記底箱の内部に収納され、食品容器Ｃを挿入できる大きさの穴部４、または輪郭Ｂが連結部を若干残した切目で形成された穴部４を有するところの平板部３ａの外端から脚板部３ｂを立設した断面略Ｕ字状の内箱３と、前記底箱の上端開口部を塞ぐ蓋５とを備える。
【００１２】
前記内箱は、開封後、前記底箱内で逆立姿勢とされ、前記穴部４には前記食品容器が挿入されるものであり、前記穴部４は、大きさの異なるものが二つ形成されたものである。また。前記二つの穴部４は、一方または両方が円形である。
【００１３】
請求項５に記載の災害時の非常用品セット用ケース１は、非常用品セット１０を収納すると共に、盆としての機能を有するダンボール製のケースであって、底壁部２ａの外端から側壁部２ｂを立設した断面略Ｕ字状の底箱２と、前記底箱の内部に収納され、食品容器Ｃを挿入できる大きさの穴部４、または輪郭Ｂが連結部を若干残した切目で形成された穴部４を有するところの平板部３ａの外端から脚板部３ｂを立設した断面略Ｕ字状の内箱３と、前記底箱の上端開口部を塞ぐ蓋５とを備える。
【００１４】
前記内箱は、開封後、前記底箱内で逆立姿勢とされ、前記穴部４には前記食品容器が挿入されるものであり、前記穴部４は、大きさの異なるものが二つ形成されたものである。また、前記二つの穴部４は、一方または両方が正多角形である。
【００１５】
請求項６に記載の災害時の非常用品セット用ケース１は、非常用品セット１を収納すると共に、盆としての機能を有するダンボール製のケースであって、底壁部２ａの外端から側壁部２ｂを立設した断面略Ｕ字状の底箱２と、前記底箱の内部に収納され、食品容器Ｃを挿入できる大きさの穴部４、または輪郭Ｂが連結部を若干残した切目で形成された穴部４を有するところの平板部３ａの外端から脚板部３ｂを立設した断面略Ｕ字状の内箱３と、前記底箱の上端開口部を塞ぐ蓋５とを備える。
【００１６】
前記内箱は、開封後、前記底箱内で逆立姿勢とされ、前記穴部４には前記食品容器が挿入されるものであり、前記穴部４は、大きさの異なるものが二つ形成されたものである。また、前記二つの穴部４は、大きい方が円形で、小さい方が正多角形である。
【００１７】
請求項７に記載の災害時の非常用品セット用ケース１は、非常用品セット１０を収納すると共に、盆としての機能を有するダンボール製のケースであって、底壁部２ａの外端から側壁部２ｂを立設した断面略Ｕ字状の底箱２と、前記底箱の内部に収納され、食品容器Ｃを挿入できる大きさの穴部４、または輪郭Ｂが連結部を若干残した切目で形成された穴部４を有するところの平板部３ａの外端から脚板部３ｂを立設した断面略Ｕ字状の内箱３と、前記底箱の上端開口部を塞ぐ蓋５とを備える。
【００１８】
前記内箱は、開封後、前記底箱内で逆立姿勢とされ、前記穴部４には前記食品容器が挿入されるものであり、前記穴部４は、大きさの異なるものが二つ形成されたものである。また、前記二つの穴部４は、大きい方が円形で、小さい方が正多角形であり、前記正多角形の小さい穴部４に、多角筒状に巻いた補助筒１１を嵌入してなるものである。
【００１９】
請求項８に記載の災害時の非常用品セット用ケース１は、非常用品セット１０を収納すると共に、盆としての機能を有するダンボール製のケースであって、底壁部２ａの外端から側壁部２ｂを立設した断面略Ｕ字状の底箱２と、前記底箱の内部に収納され、食品容器Ｃを挿入できる大きさの穴部４、または輪郭Ｂが連結部を若干残した切目で形成された穴部４を有するところの平板部３ａの外端から脚板部３ｂを立設した断面略Ｕ字状の内箱３と、前記底箱の上端開口部を塞ぐ蓋５とを備える。
【００２０】
前記内箱は、開封後、前記底箱内で逆立姿勢とされ、前記穴部４には前記食品容器が挿入されるものであり、前記穴部４は、大きさの異なるものが二つ形成されたものである。また、前記二つの穴部４は、大きい方が円形で、小さい方が正多角形であり、前記正多角形の小さい穴部４は、その中心から放射状に形成した切れ目Ｓをカットし、そこに形成される三角片１２を下方に折り曲げて形成されるものである。
【００２１】
なお、上記いずれの考案においても、穴部の輪郭Ｂを連結部を若干残した切目で形成した場合には、その連結部をカットして穴部４を形成するものである。
【００２２】
非常用品セットとしては、タオル，Ｔシャツ，軍手等をセットしたものや、これらタオル，Ｔシャツ，軍手等の布製品をプレスで圧縮固化したものも挙げられ、更には手動型発電機や手動型発電機を備えた懐中電燈は手動型発電機を備えたラジオも挙げられる。
【考案の効果】
【００２３】
請求項１に記載の災害時の非常用品セット用ケース１は、輪郭Ｂが連結部を若干残した切目で形成された穴部４を有するところの平板部３ａの外端から脚板部３ｂを立設した断面略Ｕ字状の内箱３を、開封後、底箱２内で逆立姿勢とし、穴部４に食品容器Ｃを収納するので、その食品容器Ｃに収納した食べ物や飲み物を安全に運ぶことができる。
【００２４】
すなわち、逆立姿勢とされた内箱３は略逆Ｕ字状を成し、脚片部３ｂは、その下端が底箱２の底壁部２ａに当接すると共に、外周面が底箱２の側壁部２ｂ内面に当接して、底箱２によって支持される。また、穴部４に挿入された食品容器Ｃは、その下端面が底箱２の底壁部２ａに当接すると共に、その外周面が穴部４の周端に当接する。従って、食品容器Ｃは、盆の機能を発揮する底箱２と内箱３の組合せ構造によって、安定姿勢を維持することができ、その結果、食べ物や飲み物を安全に運ぶことができる。
【００２５】
請求項２に記載の災害時の非常用品セット用ケース１は、請求項１に記載の考案と同様の効果を発揮する。また、このケース１は、穴部の輪郭Ｂが略平歯車状とされ、穴部４は、その周端部に、折り曲げられて食品容器Ｃの外周面に当接する複数の突片部４ａを有するので、この複数の突片部４ａによって食品容器Ｃを、さらに安定して支持することができる。従って、この食品容器Ｃに収納した食べ物や飲み物を、より安全に運ぶことができる。
【００２６】
請求項３に記載のケース１は、請求項１に記載の考案と同様の効果を発揮する。また、穴部４は、大きさの異なるものが二つ形成されているので、大きさの異なる食品容器Ｃをそれぞれの穴部４に挿入することができる。
【００２７】
請求項４に記載のケース１は、請求項１および３に記載の考案と同様の効果を発揮する。また、二つの穴部４は、一方または両方が円形であるので、例えば、平面円形状のインスタントカップ食品容器Ｃを安定姿勢で、良好に支持することができる。
【００２８】
請求項５に記載のケース１は、請求項１および３に記載の考案と同様の効果を発揮する。また、二つの穴部４は、一方または両方が正多角形であるので、例えば、平面正多角形状のインスタントカップ食品容器Ｃを安定姿勢で、確実に支持することができる。
【００２９】
請求項６に記載のケース１は、請求項１および３に記載の考案と同様の効果を発揮する。また、二つの穴部４は、大きい方が円形で、小さい方が正多角形であるので、例えば、大きい円形の穴部４に、平面円形状のカップ食品容器Ｃを安定姿勢で支持し、小さい正多角形の穴部４に、平面多角形状のペットボトル（食品容器Ｃ）を安定姿勢で支持することができる。
【００３０】
請求項７に記載のケース１は、請求項１、３および６に記載の考案と同様の効果を発揮する。また、正多角形の小さい穴部４に、多角筒状に巻いた補助筒１１を嵌入するので、例えば、平面多角形状のペットボトル（食品容器Ｃ）を、きわめて安定姿勢で支持することができる。
【００３１】
請求項８に記載のケース１は、請求項１、３および６に記載の考案と同様の効果を発揮する。また、正多角形の小さい穴部４は、その中心から放射状に形成した切れ目Ｓをカットし、そこに形成される三角片１２を下方に折り曲げて形成されるので、例えば、ペットボトル（食品容器Ｃ）を上から押し込むことによって、容易に穴部４を形成することができる。
【考案を実施するための最良の形態】
【００３２】
本考案に係る災害時の非常用品セット用ケース１の第一実施形態を、図１乃至図４および図７乃至図９に示す。これは、非常用品セット１０を収納すると共に、盆としての機能を有するダンボール製のケース１であり、底箱２、内箱３、および蓋５を備える。底箱２は、長方形に形成した底壁部２ａの四方外端のそれぞれから、長方形状の側壁部２ｂを立設した断面略Ｕ字状である。
【００３３】
内箱３は、底箱２の内部に収納されるもので長方形に形成した平板部３ａの四方外端のそれぞれから、長方形の脚片部３ｂを立設している。また、平板部３ａには、食品容器Ｃを挿入できる大きさの穴部４をあらかじめ形成している。なお、本実施形態では、丼容器Ｃを挿入できる穴部４と、ペットボトル（食品容器Ｃ）を挿入できる穴部４の二つを形成している。この二つの穴部４は、大きさを異なるものとし、かつ、共に円形状としている。
【００３４】
蓋５は、図７に示すように、底箱２の上端開口部を塞ぐもので、本実施形態では、長方形に形成した頂壁部５ａの四方外端のそれぞれから周壁部５ｂを垂下設して、断面略逆Ｕ字状としている。そして、内箱３は、開封後、底箱２内で逆立姿勢とされ、穴部４に食品容器Ｃを挿入するようにしている。なお、この穴部４は、その輪郭を連結部を若干残した切目で形成しておき、盆として使用する際に連結部をカットして形成することもできる。
【００３５】
なお、本実施形態では、穴部４を円形状としているが、これに代えて、図５および図６に示すように、穴部の輪郭Ｂを連結部を若干残した切目で略平歯車状に形成し、連結部をカットして形成した穴部４の周端部に、折り曲げられて食品容器Ｃの外周面に当接する複数の突片部４ａを有するものとすることができる。そして、対向する突片部４ａの先端間の距離を、食品容器Ｃの外径よりやや小さく設定することができる。
【００３６】
その場合、突片部４ａの折曲げ方向は、上方向または下方向のいずれでも良く、食品容器Ｃを穴部４に挿入するに先立って、あらかじめ上方向に折り曲げることによって食品容器Ｃの外周面の高い部分に当接させることもできるし、また、あらかじめ折曲げないで、食品容器Ｃを挿入する際の押し下げ力によって、下方向に折り曲げることもできる。この折曲げは、突片部４ａの基端間に折曲げラインＬを刻設しておくことによって容易に行うことができる。この折曲げラインＬは、ミシン目等によって形成することができる。なお、突片部４ａの形状を矩形状とし、穴部４の周端部に等間隔で複数設けているが、その形状や数あるいは形成箇所は限定されない。
【００３７】
本実施形態に係るケース１には、図８および図９に示すように、圧縮した非常用品セット１０を収納するが、この圧縮した非常用品セット１０は、バスタオル、Ｔシャツ、軍手、巾着袋、タオル、スリッパ、およびさらし（１ｍの白手ぬぐい）を一体的に圧縮して肉厚の板状に固化したものである。また、本実施形態のケース１には、この災害時の非常用品セット１０と共に、歯ブラシ６、歯磨きチューブ７、および石けん８を、ダンボールを折り曲げて断面略逆Ｕ字状に形成した基台９に接着して収納している。
【００３８】
本実施形態に係る非常用品セット用ケース１は、上記した構成としているので、底箱２と内箱３との組合せ構造が盆としての機能を発揮し、食べ物や飲料を収納した食品容器Ｃを安全に運ぶことができる。
【００３９】
すなわち、内箱３は、逆立姿勢とされた略逆Ｕ字状の状態で底箱２に収納され、その脚片部３ｂは、下端が底箱２の底壁部２ａに当接すると共に、外周面が底箱２の側壁部２ｂ内面に当接する。従って、この内箱３は、底箱２によって支持される。また、穴部４に挿入された食品容器Ｃは、その下端面が底箱２の底壁部２ａに当接すると共に、その外周面が穴部４の突片部４ａに当接する。従って、食品容器Ｃは、安定姿勢を維持することができるので、その食品容器Ｃに収納した食べ物や飲み物を安全に運ぶことができる。
【００４０】
また、穴部４の周端部に複数の突片部４ａを設けた場合には、この突片部４ａが食品容器Ｃの外周面を強く支持する。従って、食べ物や飲み物を収納した食品容器Ｃを、さらに安定して支持して、より安全に運ぶことができる。
【００４１】
また、二つの穴部４は、大きさを異なるものとしているので、大きさの異なる食品容器Ｃを、それぞれの穴部４に挿入することができる。また、この二つの穴部４は、共に円形状としているので、例えば、平面円形状のインスタントカップ食品容器Ｃを二つ、それぞれ安定姿勢で良好に支持することができる。なお、一方の穴部４のみを円形状とすることもできる。
【００４２】
なお、内箱３を逆立姿勢とする前の状態（断面略Ｕ字状の状態）、および内箱３を取り除いた状態の底箱２は、共に、穴部４の存在しない通常の盆として使用することができる。
【００４３】
本考案に係る非常用品セット用ケース１の第二実施形態を、図１０に示す。本実施形態では、内箱３を展開した平面図のみを示す。このケース１の特徴は、内箱３の平板部３ａに形成した二つの穴部４を大きさの異なるものとすると共に、それぞれを正多角形としたことである。これにより、例えば、平面正多角形状のインスタントカップ食品容器Ｃを二つ、それぞれ安定姿勢で確実に支持することができる。なお、図１１に示すように、一方の大きい穴部４を円形状とし、他方の小さい穴部４のみを正多角形状とすることもできる。
【００４４】
本考案に係る災害時の非常用品セット用ケース１の第三実施形態を、図１２に示す。このケース１は、大きさの異なる穴部４を二つ形成し、大きい穴部４を円形とし、小さい穴部４を正多角形とし、さらに、正多角形の小さい穴部４に、多角筒状に巻いた補助筒１１を嵌入したことである。
【００４５】
こうすることによって、図１３に示すように、例えば、平面多角形状のペットボトル（食品容器Ｃ）の外周面を、この補助筒１１で広い範囲にわたって支持することができるので、当該ペットボトルＣを、より安定姿勢に維持することができる。なお、補助筒１１は、図１４に示すように、長方形状のダンボールの所定部分に折曲げラインＬを、ミシン目などで形成しておき、その折曲げラインＬに沿って折り曲げることによって形成することができる。この補助筒１１は、折曲げ前の平坦な状態で、ケース１の内部に収納しておく。
【００４６】
本考案に係る災害時の非常用品セット用ケース１の第四実施形態を、図１５に示す。本実施形態でも、内箱３を展開した平面図のみを示す。このケース１は、穴部４を、大きさの異なるもの二つのものとし、大きい穴部４を円形とし、小さい穴部４を正多角形としている。また、正多角形の小さい穴部４は、その中心から放射状に形成した切れ目Ｓをカットし、そこに形成される三角片１２を、折曲げラインＬを基端として下方に折り曲げて形成するようにしている。
【００４７】
このケース１は、図１６に示すように、例えば、ペットボトル（食品容器Ｃ）を放射状の中心部に押し込むことによって、切れ目Ｓをカットして穴部４を形成することができる。従って、穴部４を手作業で形成する手間を省くことができる。
【図面の簡単な説明】
【００４８】
【図１】本考案の第一実施形態に係るケースを示す斜視図である（蓋は省略）。
【図２】図１のＡ−Ａ線断面図である。
【図３】図１のＢ−Ｂ線断面図である。
【図４】図１に示すケースの内箱を示す展開平面図である。
【図５】図１に示すケースの内箱において、他の態様を示す展開平面図である。
【図６】図５に示す内箱を有するケースを示す断面図である。
【図７】図１に示すケースを盆として使用する前の状態を示す分解斜視図である。
【図８】図７に示すケースの断面図である。
【図９】図１に示すケースを盆として使用する前の状態を示す平面図である（蓋は省略）。
【図１０】本考案の第二実施形態に係るケースの内箱を示す展開平面図である。
【図１１】図１０に示す内箱の他の態様を示す展開平面図である。
【図１２】本考案の第三実施形態に係るケースを盆として使用する状態を示す要部分解斜視図である（蓋は省略）。
【図１３】図１２に示すケースの縦断面図である。
【図１４】図１２に示すケースの補助筒を示す展開平面図である。
【図１５】本考案の第四実施形態に係るケースの内箱を示す展開平面図である。
【図１６】図１５に示すケースを盆として使用する状態を示す縦断面図である。
【符号の説明】
【００４９】
１        非常用品セット用ケース
２        底箱
２ａ      底壁部
２ｂ      側壁部
３        内箱
３ａ      平板部
３ｂ      脚板部
４        穴部
４ａ      突片部
５        蓋
５ａ      頂壁部
５ｂ      周壁部
６        歯ブラシ
７        歯磨きチューブ
８        石けん
９        基台
１０      非常用品セット
１１      補助筒
１２      三角片
Ｂ        穴部の輪郭（連結部を若干残した切目）
Ｃ        食品容器
Ｌ        折曲げライン
Ｓ        切れ目
【図１】
0003141637.tif 000003
【図２】
0003141637.tif 000004
【図３】
0003141637.tif 000005
【図４】
0003141637.tif 000006
【図５】
0003141637.tif 000007
【図６】
0003141637.tif 000008
【図７】
0003141637.tif 000009
【図８】
0003141637.tif 000010
【図９】
0003141637.tif 000011
【図１０】
0003141637.tif 000012
【図１１】
0003141637.tif 000013
【図１２】
0003141637.tif 000014
【図１３】
0003141637.tif 000015
【図１４】
0003141637.tif 000016
【図１５】
0003141637.tif 000017
【図１６】
0003141637.tif 000018
【手続補正書】
【提出日】平成20年1月9日(2008.1.9)
【手続補正１】
【補正対象書類名】実用新案登録請求の範囲
【補正対象項目名】請求項１
【補正方法】変更
【補正の内容】
【請求項１】
災害時の非常用品セット（１０）を収納すると共に，盆としての機能を有するダンボール製のケースであって、底壁部（２ａ）の外端から側壁部（２ｂ）を立設した断面略Ｕ字状の底箱（２）と、前記底箱の内部に収納され，食品容器（Ｃ）を挿入できる大きさの穴部（４），または輪郭（Ｂ）が連結部を若干残した切目で形成された穴部（４）を有するところの平板部（３ａ）の外端から脚板部（３ｂ）を立設した断面略Ｕ字状の内箱（３）と、前記底箱の上端開口部を塞ぐ蓋（５）とを備え、前記内箱は，開封後，前記底箱内で逆立姿勢とされ，前記穴部には前記食品容器が挿入保持可能な災害時の非常用品セット用ケース。